(57)【要約】  【課題】ＬＥＤ発光素子を複数配置して庫内灯とした冷蔵庫において、庫内灯周辺の意匠性、庫内の保存食品等の視認性を高めるものである。  【解決手段】ＬＥＤ発光素子１６を複数配置して庫内灯とした冷蔵庫において、各ＬＥＤ発光素子１６を異なる輝度としたことにより、庫内全体にＬＥＤ発光素子１６の光を行き届かせることができ、庫内の食品等の視認性を高めることができる。また、庫内背面に縦方向に複数のガラス棚５にまたがって長く発光させることで庫内灯周辺の意匠性、食品等の視認性を高めることができる。ものである。【選択図】図１
2008089280.tif 000002
【特許請求の範囲】
【請求項１】
ＬＥＤ発光素子を複数配置して庫内灯とした冷蔵庫において、ＬＥＤ発光素子を異なる発光色としたことを特徴とする冷蔵庫。
【請求項２】
ＬＥＤ発光素子を縦長基板の縦方向に複数配置し、前記縦長基板を庫内壁面に配置したことを特徴とする請求項１に記載の冷蔵庫。
【請求項３】
庫内上下に複数の棚を備え、前記複数の棚にまたがってＬＥＤ発光素子を配置したことを特徴とする請求項１または２に記載の冷蔵庫。
【請求項４】
前記複数の棚をガラス棚で構成したことを特徴とする請求項３に記載の冷蔵庫。
【請求項５】
ＬＥＤ発光素子を複数配置した縦長基板の表面色をＬＥＤ発光素子と同化色としたことを特徴とする請求項１から４のいずれか一項に記載の冷蔵庫。
【発明の詳細な説明】
【技術分野】
【０００１】
本発明は、庫内灯にＬＥＤ発光素子を用いた冷蔵庫に関するものである。
【背景技術】
【０００２】
従来より、冷蔵庫の庫内灯を冷蔵室内の天面に備えたものがある（例えば、特許文献１参照）。
【０００３】
以下、図面を参照しながら、上記従来の冷蔵庫について説明する。
【０００４】
図４は、従来の冷蔵庫の前面斜視図を示すものであり、冷蔵庫１０１の庫内上面には照明装置１０２を備え、照明装置１０２は実装基板１０３に半導体発光素子１０４を複数並設している。冷蔵庫１０１の開閉扉１０５が開かれたとき、照明装置１０２の実装基板１０３に並設された半導体発光素子１０４は、瞬時に点灯する制御をしている。
【特許文献１】特開平１１−１５９９５３号公報
【発明の開示】
【発明が解決しようとする課題】
【０００５】
しかしながら、上記従来の冷蔵庫では、冷蔵庫１０１の庫内上面に照明装置１０２を備えているため、冷蔵庫１０１の庫内下面まで庫内灯の光が届き難く、庫内の食品等の視認性が悪いという課題を有していた。
【０００６】
本発明は上記従来の課題を解決するものであり、庫内全体の食品等の視認性を高めた冷蔵庫を提供することを目的とする。
【課題を解決するための手段】
【０００７】
上記従来の課題を解決するために、本発明の冷蔵庫は、ＬＥＤ発光素子を複数配置して庫内灯とした冷蔵庫において、各ＬＥＤ発光素子を異なる発光色としたものである。
【０００８】
これによって、ＬＥＤ発光素子からの光を庫内全体に行き届かせることができる。
【発明の効果】
【０００９】
本発明の冷蔵庫は、庫内灯にＬＥＤ発光素子を用いたものにおいて、ＬＥＤ発光素子を複数配置して庫内灯とし、各ＬＥＤ発光素子を異なる発光色としていることにより、庫内全体に光を行き届かせることができ、庫内の食品等の視認性を高めることができる。
【発明を実施するための最良の形態】
【００１０】
請求項１に記載の発明は、ＬＥＤ発光素子を複数配置して庫内灯とした冷蔵庫において、ＬＥＤ発光素子を異なった発光色としたものであり、ＬＥＤ発光素子からの光を庫内全体に行き届かせることができ、庫内の食品等の視認性を高めることができる。
【００１１】
請求項２に記載の発明は、請求項１に記載の発明において、ＬＥＤ発光素子を縦長基板の縦方向に複数配置し、前記縦長基板を庫内壁面に配置したものであり、庫内の上下にわたってＬＥＤ発光素子の光を効率的に庫内に拡散することができる。
【００１２】
請求項３に記載の発明は、請求項１または２に記載の発明において、庫内上下に複数の棚を備え、前記複数の棚にまたがってＬＥＤ発光素子を配置したものであり、庫内の照度を高めながら庫内の上下に亘って食品等の視認性をさらに効率的に高めることができる。
【００１３】
請求項４に記載の発明は、請求項３に記載の発明において、前記複数の棚をガラス棚で構成したものであり、ガラス棚の光透過性および反射作用により、さらに庫内灯周辺の意匠性、食品等の視認性を高めることができる。
【００１４】
請求項５に記載の発明は、請求項１から４のいずれか一項に記載の発明において、ＬＥＤ発光素子を複数配置した縦長基板の表面色を、ＬＥＤ発光素子と同化色としたことにより、基板表面の光の拡散作用により庫内の照度を高めることができる。
【００１５】
以下、本発明の実施の形態について、図面を参照しながら説明する。なお、この実施の形態によってこの発明が限定されるものではない。
【００１６】
（実施の形態１）
図１は本発明の実施の形態１における冷蔵庫の扉を外した状態の正面図、図２は同実施の形態の冷蔵室内の概略部品斜視図、図３は同実施の形態のＬＥＤ実装基板の正面図である。
【００１７】
図１から図３において、冷蔵庫１は、断熱区画壁４を介して上部に冷蔵室２を下部に冷凍室３を有する。冷蔵室２内には上下に複数のガラス棚５を備え、ガラス棚５の前面端辺に樹脂製の化粧部材を取付けている。また、冷蔵室２の最下部には前方に引き出し可能な収納容器７を備えている。
【００１８】
また、冷蔵室２の背面には、冷却器およびファン（図示せず）からの冷気を庫内に供給するための発泡スチロールでできたダクト８を備え、ダクト８を覆うように樹脂でできたダクトカバー９を有する。ダクトカバー９には縦長の基板１０を収納する凹部１４を左右方向の略中心部に有し、上部には吐出口１２、下部には吸込口１３を有している。また、ダクトカバー９の左右側面近傍には突起部１５を有し、ガラス棚５の奥面が当接するためのストッパの役目を果たす。また、縦長の基板１０の前面にはランプカバー１１を有し、基板１０装着後、ダクトカバー９に取付けられる。
【００１９】
また、縦長の基板１０上には縦方向にＬＥＤ発光素子１６を導通回路１７と半田付けされ電線１８より通電されるように複数配置し、縦長の基板１０を複数のガラス棚５にまたがって設置する。そして、ＬＥＤ発光素子１６が少なくとも複数のガラス棚５の間に配置するように、内箱に一体にガラス棚５の受け部２１を設けている。また、冷蔵室２内の側面にはドアスイッチ２２を備え、冷蔵室２の前面を覆う回転式の冷蔵室扉の開閉を検知する。
【００２０】
また、基板１０の下部には庫内温度を制御する温度センサー２０を一体に配置し、電線１９より制御基板（図示せず）に導通している。
【００２１】
また、複数のＬＥＤ発光素子１６は、縦長の基板１０上に直線的に配置し、それぞれのＬＥＤ発光素子１６間の寸法を略均等としている。
【００２２】
上記構成において、以下動作を説明する。
【００２３】
冷蔵室２内の温度センサー２０により圧縮機およびファンの運転を制御し、冷却器からの冷気を、ダクト８を介して吐出口１２から庫内を冷却し、吸込口１３より冷却器に戻ることで冷蔵室２内は所定の温度に冷却される。
【００２４】
そして、冷蔵室２の前面を覆う回転式の冷蔵室扉が開放すると、ドアスイッチ２２により、制御基板からＬＥＤ発光素子１６に通電され庫内灯としてのＬＥＤ発光素子１６が発光し庫内を照射する。
【００２５】
このとき、縦長の基板１０上には縦方向にＬＥＤ発光素子１６を導通回路１７と半田付けされ電線１８より通電されるように複数配置し、縦長の基板１０を複数のガラス棚５にまたがって設置し、庫内灯設置の奥行スペースを小さくでき庫内を有効に活用できる。また、複数配置されたＬＥＤ発光素子１６は異なった発光色にすることで、庫内全体に光を行き届かせることができる。また、庫内背面に縦方向に複数のガラス棚５にまたがって長く発光させることで庫内灯周辺の意匠性、食品等の視認性を高めることができる。
【００２６】
また、ＬＥＤ発光素子１６が少なくとも複数のガラス棚５の間に配置するようにしているので、庫内全体にＬＥＤ発光素子の光を行き届かせることができ、さらに食品等の視認性を高めることができる。
【００２７】
また、複数のＬＥＤ発光素子１６は、縦長の基板１０上に直線的に配置し、それぞれのＬＥＤ発光素子１６間の寸法を略均等としているので、基板１０上での複数の発光部のバランスが保たれ、さらなに庫内灯周辺の意匠、食品等の視認性を高めることができる。
【００２８】
また、冷蔵室２の棚は複数のガラス棚５で構成しているので、ガラス棚５の光透過性および反射作用により、さらに庫内灯周辺の意匠性、食品等の視認性を高めることができる。
【００２９】
また、複数のＬＥＤ発光素子１６を配置した縦長の基板１０の表面色は、ＬＥＤ発光素子１６と同化色としていることにより、基板１０の表面の光の拡散作用により、庫内の照度を高めることができる。
【００３０】
なお、本実施の形態では、縦長の基板１０上に直線的に配置し、それぞれのＬＥＤ発光素子１６間の寸法を略均等としたもので説明したが、複数のＬＥＤ発光素子１６を縦長基板１０上に直線的に配置し、それぞれのＬＥＤ発光素子１６間の寸法を不均等、たとえば上部のＬＥＤの間隔を下部より近づけたり、中央部のＬＥＤの間隔を近づけたり、下部のＬＥＤの間隔を上部より近づけたりしてもよい。これにより、縦長基板上において光の強弱を設定でき、それぞれの庫内棚設置形状に応じた新たな意匠性、食品等の視認性を高めることができる。また、それぞれのＬＥＤ発光素子を基板１０上で千鳥配置してもよい。
【００３１】
また、本実施の形態では、単一のＬＥＤ発光素子１６を上下方向に所定の間隔を持って配置したもので説明したが、複数のＬＥＤ発光素子を集中配置したものを上下方向に所定の間隔を持って配置してもよい。この場合、庫内の照度を効率的に高めることができる。
【００３２】
また、本実施の形態では、冷蔵室２にドアスイッチ２２を有するもので説明したが、ドアスイッチ２２を設けず、冷蔵庫の電源と同期して連続通電するものでもよい。この場合、ドアスイッチ２２を省略でき、さらに低コスト化を図ることができる。
【００３３】
また、冷蔵室２内の内箱に一体にガラス棚５の受け部２１を設けているが、この受け部２１は冷蔵室２内の側面にガラス棚５の数より多く設け、ガラス棚５を差し替え可能に配置し、それぞれのどの受け部２１にガラス棚５を配置した状態でも、ＬＥＤ発光素子１６は複数のガラス棚５の間に位置するように設定することで、棚の使い勝手を高めながら確実に食品等の視認性を高めることができる。
【産業上の利用可能性】
【００３４】
以上のように、本発明にかかる冷蔵庫は、庫内灯にＬＥＤ発光素子を用いたものにおいて、発光色の異なった複数のＬＥＤ発光素子からの光を効率的に庫内に拡散、照射でき、庫内灯周辺の意匠性、食品等の視認性を高めることができるので、庫内灯にＬＥＤ発光素子を用いた冷蔵機器全般の用途にも適用できる。
【図面の簡単な説明】
【００３５】
【図１】本発明の実施の形態１における冷蔵庫の扉を外した状態の正面図
【図２】同実施の形態の冷蔵室内の概略部品斜視図
【図３】同実施の形態のＬＥＤ実装基板の正面図
【図４】従来の冷蔵庫の前面斜視図
【符号の説明】
【００３６】
１    冷蔵庫
２    冷蔵室
５    ガラス棚
８    ダクト
９    ダクトカバー
１０  基板
１１  ランプカバー
１６  ＬＥＤ発光素子
２０  温度センサー
【図１】
2008089280.tif 000003
【図２】
2008089280.tif 000004
【図３】
2008089280.tif 000005
【図４】
2008089280.tif 000006